(57)【要約】【課題】  ロックウール等の培地を用いた培養液かけ流し方式でトマト等をハウス栽培するにおいて、培地を適正に冷却できるトマト等の栽培における培地冷却システムを提供する。【解決手段】  ハウス１０内で、ロックウールなどの培地１１を用い、その培地１１に培養液をかけ流してトマトＴを栽培するトマト等の栽培における培地冷却システムにおいて、培地１１を、金属製の蓋付き樋１６上に載置し、その蓋付き樋１６に冷水ｗを供給して培地１１を冷却するようにしたものである。【選択図】  図２
2006081474.tif 000002
【特許請求の範囲】
【請求項１】
ハウス内で、ロックウールなどの培地を用い、その培地に培養液をかけ流してトマト等を栽培するトマト等の栽培における培地冷却システムにおいて、培地を、金属製の蓋付き樋上に載置し、その蓋付き樋に冷水を供給して培地を冷却するようにしたことを特徴とするトマト等の栽培における培地の温度調節方法。
【請求項２】
蓋付き樋に供給する冷水の温度は、７〜１０℃である請求項１記載のトマト等の栽培における培地の温度調節方法。
【請求項３】
培地が低温の時、蓋付き樋に、冷水に替えて温水を供給して培地を保温するようにした請求項１記載のトマト等の栽培における培地の温度調節方法。
【請求項４】
冷水或いは温水が流れる樋部と伝熱フィンを備えた蓋部からなる蓋付き樋を設置し、その蓋付き樋の蓋部上の長手方向に、トマト等を植栽するロックウール等からなる培地を所定スペースをおいて複数載置することを特徴とするトマト等の栽培における培地の温度調節装置。
【請求項５】
培地間に位置した蓋部に、樋部内空気を吸引排気するファンを設けた請求項４記載のトマト等の栽培における培地の温度調節装置。
【請求項６】
蓋付き樋が金属製であり、蓋部に設けられる伝熱フィンが、樋部を流れる冷水と接するように設けられる請求項４又は５記載のトマト等の栽培における培地の温度調節装置。
【請求項７】
蓋部に設けられる伝熱フィンは、幅方向に複数枚、長手方向に沿って設けられる請求項４〜６いずれかに記載のトマト等の栽培における培地の温度調節装置。
【請求項８】
幅方向両側の伝熱フィンは、その下部が樋部の底面に着座して蓋部にかかる荷重を受けるようにされる請求項４〜７いずれかに記載のトマト等の栽培における培地の温度調節装置。
【請求項９】
蓋付き樋の上流側には、供給される冷水或いは温水を分散させるパンチ板が設けられる請求項４〜８いずれかに記載のトマト等の栽培における培地の温度調節装置。
【発明の詳細な説明】
【技術分野】
【０００１】
本発明は、ロックウール培地を用いた培養液かけ流し方式のトマト等の養液栽培に係り、特にその培地を冷却或いは保温するためトマト等の栽培における培地の温度調整方法及びその装置に関するものである。
【背景技術】
【０００２】
トマトは、一つの株から数ヶ月以上の長期間にわたって収穫することができる土地生産性の高い集約作物であり、水耕栽培の中でも、ロックウール培地を用いた培養液かけ流し方式のトマトのハウス栽培が広く行われている。
【０００３】
ハウストマトの高品質安定多収栽培には、光、温度、養水分などの環境要因をバランスよく調整することが重要であり、温度に関しては、ハウス内気温を昼温２５〜３０℃、夜温１０〜２０℃の範囲に調整することが生育適温とされている。
【０００４】
しかし、夏季においては、ハウス内は容易に３０℃以上となるために、花芽分化が十分に行えず、収穫量が減少し、安定した生産が行えない。
【０００５】
そこで、ハウス内を空調機で適正温度に下げて収穫量を上げることが試みられているが、ハウス内を空調しても、雰囲気温度は適正に保たれるものの、培地の温度は適正な温度に保たれる保証はないため、生育に適した環境を整えることは困難であり、しかもコスト高となってしまう問題もある。
【０００６】
このため、特許文献１に示されるように、培地を水の蒸発潜熱で冷却したり、特許文献２に示されるように、冬場の作物の花芽分化をさせるために、栽培床の近傍に冷気を滞留させることが試みられている。
【０００７】
【特許文献１】特開２０００−２６２１６１号公報
【特許文献２】特開平８−２４２７０１号公報
【発明の開示】
【発明が解決しようとする課題】
【０００８】
しかしながら、ロックウール培地を用いた培養液かけ流し方式のトマトハウス栽培においは、培地自体は、ロックウール、ガラスウールなどで形成され、培養液は雰囲気内で蒸発可能であるにもかかわらず、実際には培地の温度は下がらず、特許文献１のように蒸発潜熱で冷却することは困難である。また特許文献２のように冷気を滞留させて冷却させても、茎の部分は冷却されるものの培養液を吸い上げる根が伸びている培地自体の温度は下がりにくいため効果がないという問題がある。
【０００９】
さらに培養液自体を冷却してかけ流すことも考えられるが、培養液の量は僅かであり、培地を適正温度にすべく、培養液を冷却したのでは、根が冷却され過ぎてしまい生育に悪影響が生じる問題がある。
【００１０】
本発明の目的は、ロックウール等の培地を用いた培養液かけ流し方式でトマト等をハウス栽培するにおいて、培地を適正に冷却できるトマト等の栽培における培地の温度調節方法及びその装置を提供することにある。
【課題を解決するための手段】
【００１１】
上記の目的を達成するために、請求項１の発明は、ハウス内で、ロックウールなどの培地を用い、その培地に培養液をかけ流してトマト等を栽培するトマト等の栽培における培地冷却システムにおいて、培地を、金属製の蓋付き樋上に載置し、その蓋付き樋に冷水を供給して培地を冷却するようにしたトマト等の栽培における培地の温度調節方法である。
【００１２】
請求項２の発明は、蓋付き樋に供給する冷水の温度は、７〜１０℃である請求項１記載のトマト等の栽培における培地の温度調節方法である。
【００１３】
請求項３の発明は、培地が低温の時、蓋付き樋に、冷水に替えて温水を供給して培地を保温するようにした請求項１記載のトマト等の栽培における培地の温度調節方法である。
【００１４】
請求項４の発明は、冷水或いは温水が流れる樋部と伝熱フィンを備えた蓋部からなる蓋付き樋を設置し、その蓋付き樋の蓋部上の長手方向に、トマト等を植栽するロックウール等からなる培地を所定スペースをおいて複数載置するようにしたトマト等の栽培における培地の温度調節装置である。
【００１５】
請求項５の発明は、培地間に位置した蓋部に、樋部内空気を吸引排気するファンを設けた請求項４記載のトマト等の栽培における培地の温度調節装置である。
【００１６】
請求項６の発明は、蓋付き樋が金属製であり、蓋部に設けられる伝熱フィンが、樋部を流れる冷水と接するように設けられる請求項４又は５記載のトマト等の栽培における培地の温度調節装置である。
【００１７】
請求項７の発明は、蓋部に設けられる伝熱フィンは、幅方向に複数枚、長手方向に沿って設けられる請求項４〜６いずれかに記載のトマト等の栽培における培地の温度調節装置である。
【００１８】
請求項８の発明は、幅方向両側の伝熱フィンは、その下部が樋部の底面に着座して蓋部にかかる荷重を受けるようにされる請求項４〜７いずれかに記載のトマト等の栽培における培地の温度調節装置である。
【００１９】
請求項９の発明は、蓋付き樋の上流側には、供給される冷水或いは温水を分散させるパンチ板が設けられる請求項４〜８いずれかに記載のトマト等の栽培における培地の温度調節装置である。
【発明の効果】
【００２０】
本発明は、収穫が落ちる夏季に、培地を確実に適正温度に冷却することができるため、季節毎の収穫量を一定にすることができる。
【発明を実施するための最良の形態】
【００２１】
以下本発明の実施形態を添付図面により説明する。
【００２２】
図１，図２は、トマトのハウス栽培の全体図を示し、図１は正面図を、図２はその側面図を示している。
【００２３】
先ず、トマトＴをハウス１０内で栽培するにあたり、各トマトＴが、ロックウールやグラスウール等の培地１１に植栽され、その培地１１に培養液注入パイプＰから培養液が適宜流し込まれて栽培され、茎Ｓの上部が紐１２にて支持フレーム１３に吊され、茎Ｓの生長と共に上方に誘引され、茎Ｓが支持フレーム１３近くまで生長したならば、茎Ｓを下に降ろして、茎Ｓの下部を水平方向に巻き回して管理可能な高さに保持しながら栽培すると共に果実Ｆを収穫するようになっている。
【００２４】
さて、ハウス１０の床１４上には、発泡スチロール等の断熱材１５が敷設され、その断熱材１５上に、蓋付き樋１６が設けられ、その蓋付き樋１６上にロックウール、グラスウール等で形成された培地１１が載置される。
【００２５】
培地１１は、横長のブロック状に成形されたスラブ１１ｓとそのスラブ１１ｓ上に、所定間隔をおいて設けられたポット１１ｐからなる。
【００２６】
ポット１１ｐには、トマトＴが植栽され、トマトＴの根がポット１１ｐを通してスラブ１１ｓ内にまで伸び、各ポット１１ｐに設けた培養液注入パイプＰから培養液が適宜流し込まれてスラブ１１ｓに含浸され、その培養液をトマトＴの根が吸収して生長するようになっている。
【００２７】
蓋付き樋１６は、図４（ｂ）、図５（ｂ）に示すように、ＳＵＳなどの金属板で形成され、冷水ｗが流れる樋部１７と、その樋部１７の上部を閉じるＳＵＳなどの金属板で形成された蓋部１８と、蓋部１８の内側に設けられ冷水ｗと接する伝熱フィン１９とからなる。
【００２８】
伝熱フィン１９のうち、幅方向両側に位置した伝熱フィン１９ｓは、樋部１７の底面に着座するような長さに形成されて蓋部１８にかかる荷重を受けるようにされ、中央部の伝熱フィン１９ｃは、伝熱フィン１９ｃ間を連通するように、樋部１７の底面からやや離れる長さに形成される。
【００２９】
蓋付き樋１６上に載置する培地１１は、図２、図３に示すように蓋部１８上の長手方向に、所定スペースＳをおいて複数載置し、その培地１１間のスペースＳに位置した蓋部１８には、蓋付き樋１６内の空気を吸引排気するファン２０が設けられる。このファン２０は詳細は示していないがソーラーバッテリで駆動されるようになっている。
【００３０】
図４（ａ）、図５（ａ）に示すように、蓋付き樋１６の一端には冷水供給管２１が設けられ、樋部１７には、冷水供給管２１から供給された冷水ｗを分散するパンチング板２２が設けられる。また蓋付き樋１６の他端には、蓋付き樋１６内の冷水ｗを所定のレベルに保って排水する排水管２３が接続される。
【００３１】
次に本発明の作用を説明する。
【００３２】
夏季などにおいて、培地１１の温度が３０℃以上になる際には、冷水供給管２１より７〜１０℃の冷却水を蓋付き樋１６に供給する。蓋付き樋１６を冷水が流れる間に、伝熱フィン１９の熱伝導により蓋部１８の温度が下がり、培地１１のスラブ１１ｓは、蓋部１１に載置されているために、適正な温度まで冷却することが可能となる。
【００３３】
この培地１１の冷却は、蓋付き樋１６から直接熱伝導で行われるため、空調機で培地１１の周囲を冷却するよりも、少ないエネルギでより効率よく冷却することができる。
【００３４】
また、ファン２０にて蓋付き樋１６内の空気を吸引し、これを培地１１の近傍に冷風を吹き出すため、空調空気と違って湿度の高い冷風を吹き出すことができ、培地１１を保湿しながら温度を下げることが可能となる。
【００３５】
図６は夏季において、同一ハウス内で、培地１１を冷却したものと、培地１１を冷却しないものとの一日の温度の経時変化を測定（測定時はファンの駆動無し）したもので、冷水は、日照に合わせて、朝５時から夜７時までの間、流して測定した。
【００３６】
図において、■は無冷却時のスラブ中心部、●はポット中心部、▲はスラブ上部、×はスラブ中心部、△はスラブ下部の温度を示している。また冷却時に、蓋付き樋に供給する冷水温度は１０℃とした。なお、測定時は、ハウス内を充分に換気したが、ハウス内温度は最高で３５℃となった。
【００３７】
図６から分かるように、■の無冷却の場合には、培地温度は最大３３℃まで上昇したが、蓋付き樋で冷却することで、●のポット中心部で最大２５℃、▲のスラブ上部で最大２２℃、×のスラブ中心で最大２０℃、△のスラブ下部で最大１７℃の温度にすることが可能となる。また、スラブ温度は、冷水供給（朝５時）と共に３０分程度で一定の冷却温度に下げることができ、冷水供給停止後（夜７時）は、１時間程度で、スラブの上下での温度差はなくなる。
【００３８】
また、両者とも冷却を行っていない夜間には、■の無冷却と●のポットとは、本来であれば同じ温度となるが、●のポットの場合には、夜間の無冷却時においても、蓋付き樋に冷却水が貯留されており、■の蓋付き樋では、水は充填されておらず空気であるため、両者の温度に３，４℃程度の温度差が生じていた。
【００３９】
このことは、夜間時に運転を停止していても、蓋付き樋中に貯留される冷水で、夜間の温度上昇を防ぐことが可能であり、また夏季において気温があまり上がらない場合でも、蓋付き樋１６内に水を張っておくだけで、温度変化が緩やかとなるため、培地１１の日中や夜間の急激な温度変化を抑えることもできる。
【００４０】
上述の実施の形態においては、蓋付き樋１６に冷水を通して冷却するシステムとして説明したが、冬季でのトマトのハウス栽培では、培地１１の温度が適温より下がる場合には、蓋付き樋１６に温水を流して培地１１を保温するように使用してもよいことは勿論である。
【図面の簡単な説明】
【００４１】
【図１】本発明の一実施の形態を示す全体正面図である。
【図２】図１の側面図である。
【図３】図１における蓋付き樋の平面図である。
【図４】本発明における蓋付き樋の詳細を示す正断面図である。
【図５】本発明における蓋付き樋の詳細を示す側断面図である。
【図６】本発明におけるハウス内の培地の温度の経時変化を示す図である。
【符号の説明】
【００４２】
１０  ハウス
１１  培地
１６  蓋付き樋
１７  樋部
１８  蓋部
１９  伝熱フィン
２０  ファン
Ｔ  トマト
【図１】
2006081474.tif 000003
【図２】
2006081474.tif 000004
【図３】
2006081474.tif 000005
【図４】
2006081474.tif 000006
【図５】
2006081474.tif 000007
【図６】
2006081474.tif 000008